(57)【要約】  【課題】  側圧が繰り返し作用する引戸に使用された場合にも、本体部の表側を覆うカバーが緩み難い引戸用取手を提供する。  【解決手段】  引戸用取手１は本体部１０とカバー２０とから構成される。本体部は、両端に螺子孔が形成され、表側に縁１３で囲まれた凹部１４が形成され、凹部に受け部１６が突設され、受け部付近には裏側から工具４０を挿入可能な孔１７が形成されたものである。カバーは、本体部の縁に嵌合する溝２１が外周に形成され、溝は本体部の縁を外側と内側の両側から挟むように形成されたフランジ部２１ａ，２１ｂを含み、本体部の受け部に対向する位置に係止部２２が突設されたものである。カバーと本体部は、係止部を受け部に係合し、溝を縁に嵌合することにより、カバーを本体部の表側から取り外し不可能にする一方で、工具を把持部の孔に裏側から挿入することにより、係止部と受け部との係合状態を解除可能にしたものである。  【選択図】  図２
2008115555.tif 000002
【特許請求の範囲】
【請求項１】
本体部は表側から引戸に螺子で取り付け可能に形成され、当該螺子を覆うように本体部にカバーが設けられ、当該カバーは螺子の緩みを締めなおすために開閉可能にされたものである引戸用取手において、
前記本体部は、手で握られる把持部の両端が同じ方向に曲げられ、当該両端に螺子孔が形成され、本体部の表側には縁で囲まれた凹部が形成され、当該凹部にはカバーの係止部に係合される受け部が突設され、当該受け部付近には裏側から工具を挿入可能な孔が形成されたものであり、
前記カバーは、前記本体部の縁に嵌合する溝が外周に形成され、当該溝は本体部の縁を外側と内側の両側から挟むように形成されたフランジ部を含み、本体部の受け部に対向する位置に係止部が突設されたものであり、
前記カバーと前記本体部とは、係止部を受け部に係合し、溝を縁に嵌合することにより、本体部に取り付けたカバーを表側から取り外し不可能にする一方で、係止部と受け部との係合状態を解除するための工具を把持部の孔に裏側から挿入可能に形成したことを特徴とする引戸用取手。
【請求項２】
前記本体部の受け部は先端から中間部に向けて徐々に断面が拡大し、中間部には断面が縮小して両側に顎状部が形成され、前記カバーの係止部は前記本体部の受け部を両側から挟む一対の爪からなり、当該一対の爪には本体部の両側の顎状部に係合する顎状部が形成されたものである請求項１に記載の引戸用取手。
【請求項３】
前記カバーの一対の爪は、前記本体部の受け部に係合されたときに、楔状の先端部を有する工具が嵌合可能な隙間を形成するようにテーパー面を有することを特徴とし、
当該隙間に、工具の楔状の先端部が嵌合して押し込まれると、一対の爪が開く方向に弾性変形し、前記本体部の受け部から係合解除されるものである請求項２に記載の引戸用取手。
【発明の詳細な説明】
【技術分野】
【０００１】
本発明は引戸用取手に関し、さらに詳細には、引戸用取手が本体部とカバーとを備え、本体部は表側から引戸に螺子で取り付け可能に形成され、カバーは螺子を覆うように本体部に開閉可能に取り付けられた引戸用取手に関する。
【背景技術】
【０００２】
冷蔵庫、冷凍冷蔵ショーケースその他のショーケースなどの扉には、図５（ａ）（ｂ）に示したように、本体部５１とカバー６１とから構成される取手５０が取り付けられることがある。本体部５１は、図５（ｂ）の断面図に示したように、手で握られる把持部５２の両端５３が扉７０に向けて曲がったコ字形状になっており、両端５３にはそれぞれ雌螺子５４と孔５５とが設けられている。雌螺子５４は、扉７０側から螺子を螺合させるためのものであり、孔５５は表側から螺子を挿通して扉７０に螺合させるためのものである。また本体部５１には、カバー６１を固定するための受け孔５６が二箇所に設けられている。
カバー６１の内側にはボス６２が二つ突設され、これらボス６２が本体部５１の受け孔５６に嵌合されることにより、カバー６１は本体部５１に固定される。このカバー６１は、本体部５１の孔５５に表側から螺合させた螺子を締め直す際に、取り外しが可能になっている。
【０００３】
一方、建物の引戸や、電車の車両間の引戸などにも、手で握れるように表面に突出した取手が取り付けられることがあり、デザイン的あるいは維持管理上の理由により、本体部の表側がカバーで覆われた引戸用取手が採用されることがある。
しかしながら、このような取手が引戸に用いられた場合には、引戸を開閉するときに手で握られて側方に押されるものであるため、側圧が繰り返し作用する。このような側圧が作用すると、着脱可能に取り付けられたカバーは緩み易く、したがって、冷蔵庫などの扉に用いられる取手をそのまま引戸に適用することは現実的ではない。
また電車の車両間の引戸に使用する場合には、電車走行時の振動による影響も考慮した構成とする必要がある。
【０００４】
なお、住宅用の引戸用取手としては、特許文献１に記載されたものがあるが、この取手は本体部とカバーとから構成されるものではなく、上述のような先行技術の課題を解決するものではない。
【特許文献１】特開２００３−２４７３６１号公報
【発明の開示】
【発明が解決しようとする課題】
【０００５】
したがって、本発明の目的は、側圧が繰り返し作用する引戸に使用された場合にも、本体部の表側を覆うカバーが緩み難い引戸用取手を提供することである。
【課題を解決するための手段】
【０００６】
以下、課題を解決するための手段について、添付図面中の参照番号を付して説明する。
本発明では、本体部１０は表側から引戸３０に螺子で取り付け可能に形成され、当該螺子を覆うように本体部１０にカバー２０が設けられ、当該カバー２０は螺子の緩みを締めなおすために開閉可能にされたものである引戸用取手１において、前記本体部１０は、手で握られる把持部１１の両端１２が同じ方向に曲げられ、当該両端１２に螺子孔１２ａ,１２ｂが形成され、本体部１０の表側には縁１３で囲まれた凹部１４が形成され、当該凹部１４にはカバー２０の係止部２２に係合される受け部１６が突設され、当該受け部１６付近には裏側から工具４０を挿入可能な孔１７が形成されたものであり、前記カバー２０は、前記本体部１０の縁１３に嵌合する溝２１が外周に形成され、当該溝２１は本体部１０の縁１３を内側と外側の両側から挟むように形成されたフランジ部２１ａ，２１ｂを含み、本体部１０の受け部１６に対向する位置に係止部２２が突設されたものであり、前記カバー２０と前記本体部１０とは、係止部２２を受け部１６に係合し、溝２１を縁１３に嵌合することにより、本体部１０に取り付けたカバー２０を表側から取り外し不可能にする一方で、係止部２２と受け部１６との係合状態を解除するための工具４０を把持部１３の孔１７に裏側から挿入可能に形成したことを特徴とする引戸用取手１が提供される。
【０００７】
本発明の引戸用取手１において、前記本体部１０の受け部１６は先端１６ａから中間部に向けて徐々に断面が拡大し、中間部には断面が縮小して両側に顎状部１６ｂが形成されたものとすることができる。また前記カバー２０の係止部２２は、前記本体部１０の受け部１６を両側から挟む一対の爪２２からなり、当該一対の爪２２には本体部１０の両側の顎状部１６ｂに係合する顎状部２２ｂが形成されたものとすることができる。前記カバー２０の一対の爪２２は、その間隔を拡大させることができるように、弾性変形可能に形成することにより、前記本体部１０の受け部１６に着脱可能なようにしても良い。
【０００８】
また本発明の引戸用取手１において、前記カバー２０の一対の爪２２には、前記本体部１０の受け部１６に係合されたときに、楔状の先端部４１を有する工具４０が嵌合可能な隙間２３を形成するようにテーパー面２２ｃを設けても良い。この一対の爪２２の隙間に、工具の楔状の先端部を嵌合させて押し込めば、一対の爪２２は開く方向に弾性変形し、前記本体部１０の受け部１６から係合解除することが可能になる。
【発明の効果】
【０００９】
本発明の引戸用取手は本体部とカバーとからなり、本体部にはその表側の凹部に受け部が突設され、凹部の外周に縁が設けられ、一方、カバーには内側フランジ部と外側フランジ部とからなる溝が形成され、本体部の受け部に対向する位置に係止部が突設されている。したがって、本体部にカバーを取り付けたとき、カバーの係止部が本体部の受け部に係合し、カバーの溝が本体部の縁に嵌合し、これら係合部と嵌合部の複合的な作用により、側圧を繰り返し受けた場合にも、カバーは本体部から緩むことなく保持される。
また本体部の受け部付近には孔が形成されており、この孔から工具を挿入し、カバーの係止部と本体部の受け部との係合状態を解除することが可能であり、本体部の螺子が緩んだ場合には、これを締め直すことができる。なお、工具を挿入する孔は、表側からは見えず、裏側からのみ工具を挿入するものであるため、いたずら等によりカバーが外されることを防止できる。
【発明を実施するための最良の形態】
【００１０】
以下、図面を参照して本発明について説明するが、本発明はこれに限定されるものではない。
【００１１】
本発明にかかる引戸用取手１は、図１及び図２に示したように、本体部１０とカバー２０とから構成される。
ここで、図１は引戸３０に取り付けられた状態を示す側面図である。図２（ａ）は本体部１０からカバー２０が外された状態を示す側面図、図２（ｂ）は一点鎖Ａ―Ａ部分の断面図である。また図３（ａ）は引戸用取手１を引戸３０側から見た裏面図、図３（ｂ）は一点鎖Ｂ―Ｂ部分の断面図、図３（ｃ）は一点鎖Ｃ−Ｃ部分の断面図、図３（ｄ）は一点鎖Ｄ−Ｄ部分の断面図である。
【００１２】
本体部１０は、図１及び図２のように側方から見たとき、手で握られる把持部１１の両端が引戸３０に向けて曲がったコ字形状に形成される。これら両端１２には、図３（ｄ）の断面図に示したように、それぞれ雌螺子１２ａと孔１２ｂとが設けられる。雌螺子１２ａは、引戸３０側から螺子を螺合させるためのものであり、孔１２ｂは引戸用取手１の表側から螺子を挿通し、引戸３０に螺合させるためのものである。
本体部１０は、例えば、金型に溶融金属を流し込んで形成可能なものであり、内部が刳り貫かれたような形状に形成される。すなわち、本体部１０の表側には、図２（ｂ）で示したように縁１３で囲まれた凹部１４が形成され、この凹部１４を囲む縁１３は肉厚が下方部分１５よりも比較的薄くされ、後述するカバー２０の溝２１を嵌合し易くすると共に、本体部１０とカバー２０との接合部に段差ができないようにされる。
凹部１４には、受け部１６が複数箇所に突設されている。受け部１６は、図２（ｂ）の断面図に示したように、先端１６ａの曲面から中間部に向けて徐々に断面が拡大し、中間部で断面が縮小して両側に顎状部１６ｂが形成され、さらに顎状部１６ｂから根元１６ｃまで徐々に断面が縮小するように形成されている。また受け部１６は、図２（ａ）及び図３（ａ）に示したように、把持部１１と同じ方向に所定長さ延びるように形成されたものであり、受け部１６の根元１６ｃには、受け部１６よりも若干長いスリット１７（孔）が両側に形成されている。このスリット１７は、後述する工具４０を挿入するための孔である。
【００１３】
一方、カバー２０は、例えば、金型に溶融した合成樹脂材料を流し込んで形成可能なものであり、図２（ａ）（ｂ）に示したように、本体部１０の縁１３に嵌合する溝２１が外周に形成され、この溝２１は、本体部の縁１３を外側と内側の両側から挟むように形成されたフランジ部２１ａ，２１ｂから構成される。
またカバー２０には、本体部１０の受け部１６に対向する位置に一対の爪２２が突設される。この一対の爪２２は、本体部１０の受け部１６を両側から挟むように係合されるものであり、根元２２ａからほぼ同じ厚さ（断面）で立ち上げられ、先端付近には対向する面に顎状部２２ｂが形成され、これが受け部１６の両側の顎状部１６ｂに係合される。顎状部２２ｂよりも先端は、楔状に尖るようにテーパー面２２ｃが設けられている。この一対のテーパー面２２ｃは、その隙間が先端に向けて拡大するような角度及び配置で設けられる。テーパー面２２ｃは、図３（ｂ）のように一対の爪２２が本体部１０の受け部１６に係合したとき、受け部１６との間に隙間２３を形成するものである。この隙間２３は、楔状の先端部４１を有する工具４０（図４参照）が差し込まれると、テーパー面２２ｃが工具４０で押され、一対の爪２２が弾性変形して押し開かれるものである。またテーパー面２２ｃは、一対の爪２２を本体部１０の受け部１６に押し込み易くするものである。
なお、一対の爪２２は、本体部１０の受け部１６へ係合する際に、図２（ｂ）の矢印Ｒで示した方向に弾性変形して間隔を拡大できれば良く、根元２２aからほぼ同じ厚さに形成されたものに限定されない。
【００１４】
次に、孔は引戸用取手１の作用について説明する。
本発明にかかる引戸用取手１は、カバー２０の一対の爪２２，２２が本体部１０の受け部１６に係合し、カバー２０の溝２１が本体部１０の縁１３に嵌合することにより、カバー２０が本体部１０に固定されるものであるため、引戸用取手１に繰り返し側圧が作用しても、カバー２０の緩みを防止することができる。
例えば、カバー２０に一対の爪２２，２２のみが設けられ、溝２１が形成されていない場合には、引戸用取手１が側圧を受けると、カバー２０の一対の爪２２，２２は受け部１６を中心として回転方向に動いてしまい、カバー２０に緩みが生じる。
しかしながら、引戸用取手１では、カバー２０の溝２１が、内側フランジ部２１ａと外側フランジ部２１ｂとから構成されるものであるため、引戸用取手１に側圧が作用した際にも、フランジ部２１ａ，２１ｂのいずれか一方は、本体部１０の縁１３から反力を受けて保持され、本体部１０の受け部１６を中心としたカバー２０の回転は阻止される。
したがって、引戸用取手１では、一対の爪２２，２２と受け部１６との係合部、及び溝２１と縁１３との嵌合部の複合的な作用により、側圧を繰り返し受けた場合にも、カバー２０は本体部１０から緩むことなく保持される。
【００１５】
また本発明の引戸用取手１において、本体部１０を引戸に固定している螺子に緩みが生じた場合には、カバー２０を取り外して螺子を締め直す必要がある。このような場合には、図４に示したように、断面がコ字形状で先端部４１が楔状に形成された工具４０を使用してカバー２０が取り外される。
すなわち、工具４０の先端部４１を本体部１０のスリット１７に挿入すると、楔状の先端部４１は、一対の爪２２のテーパー面２２ｃと本体部１０の受け部１６との隙間２３（図３（ｂ））に嵌合する。そして、工具４０をさらに押し込むと、図４に示したように、一対の爪２２は楔状の先端部４１により押し開かれ、その顎状部２２ｂが受け部１６の顎状部１６ｂから係合解除され、カバー２０は本体部１０から取り外し可能になる。このように引戸用取手１からカバー２０を取り外す操作は、本体部１０の裏側のスリット１７からのみ可能であり、したがって、カバー２０が誤って取り外されることを防止できる。
逆に、カバー２０を本体部１０に取り付ける際には、一対の爪２２を本体部１０の受け部１６の位置に合わせ、カバー２０を押し込むだけで、一対の爪２２のテーパー面２２ｃが受け部１６の先端の拡大する曲面を摺動し、一対の爪２２は押し開かれてその顎状部２２ｂが受け部１６の顎状部１６ｂに係合される。したがって、メンテナンス時の取り扱いは極めて容易である。
【図面の簡単な説明】
【００１６】
【図１】本発明にかかる引戸用取手を示す側面図である。
【図２】図２（ａ）は本体部からカバーが外された状態を示す側面図、図２（ｂ）は一点鎖Ａ―Ａ部分の断面図である。
【図３】（ａ）は引戸用取手を引戸側から見た裏面図、（ｂ）は一点鎖Ｂ―Ｂ部分の断面図、（ｃ）は一点鎖Ｃ−Ｃ部分の断面図、（ｄ）は一点鎖Ｄ−Ｄ部分の断面図である。
【図４】工具を使用して本体部からカバーを外す動作を示した断面図である。
【図５】（ａ）は従来例の側面図、（ｂ）は本体部からカバーが外された状態を示す図であり、本体部は断面図、カバーの上半分は側面図、カバーの下半分は断面図である。
【符号の説明】
【００１７】
１    引戸用取手
１０  本体部
１１  把持部
１２  本体部の両端
１２ａ  雌螺子
１２ｂ  孔
１３  縁
１４  凹部
１６  受け部
１７  工具を挿入可能な孔
２０  カバー
２１  溝
２１ａ  内側のフランジ部
２１ｂ  外側のフランジ部
２２  係止部
３０  引戸
４０  工具
【図１】
2008115555.tif 000003
【図２】
2008115555.tif 000004
【図３】
2008115555.tif 000005
【図４】
2008115555.tif 000006
【図５】
2008115555.tif 000007